【事件の表示】
　特願２００３−３８９８６１「画像形成装置」拒絶査定不服審判事件〔平成１７年　６月　９日出願公開、特開２００５−１４８６５７〕について、次のとおり審決する。
【結　論】
　本件審判の請求は、成り立たない。
【理　由】
　
［１］手続の経緯 
　本願は、平成１５年１１月１９日の出願であって、平成１９年８月１４日付けで通知された最初の拒絶理由に対して、同年１０月１９日付けで手続補正書が提出され、同年１１月１５日付けで通知された最後の拒絶理由に対して、平成２０年１月２１日付けで手続補正書が提出され、その後、前記平成２０年１月２１日付手続補正についての補正却下の決定とともに、拒絶査定が平成２０年２月１９日付けでなされたものであり、これに対し、平成２０年３月２７日に査定不服の審判請求がなされるとともに、同年４月２４日付けで手続補正がされたものである。
　さらに、平成２０年５月２８日付けで審査官により作成された前置報告書について、平成２１年３月６日付けで審尋がなされたところ、審判請求人から同年５月１１日付けで回答書が提出されたものである。
　
　
［２］平成２０年４月２４日付けの手続補正についての補正却下の決定
［補正却下の決定の結論］ 
　平成２０年４月２４日付けの手続補正（以下、「本件補正」という。）を却下する。
　
［理由］
１．本件補正 
　本件補正は、特許請求の範囲において、請求項１を以下のように補正しようとするものである。
　
（補正前） 
「　【請求項１】
　複数枚の原稿の画像を読み取る原稿読取手段と、
　この原稿読取手段によって読み取られた画像を記憶する画像記憶手段と、
　この画像記憶手段に記憶されている画像を記録紙に形成する画像形成手段と、
　外部操作による各種操作指示の入力を受け付ける操作手段と、
　前記原稿読取手段によって原稿の読み取りが複数回に分けて行われた場合、前記原稿読取手段による各回の読み取り画像を前記画像記憶手段に記憶させておき、前記操作手段で受け付けられた指示が示す部数だけ、当該画像記憶手段から読み出した各回の読み取り画像を連続して前記画像形成手段に画像を形成させる制御手段と
を備えたことを特徴とする画像形成装置。」 
　
（補正後） 
「　　【請求項１】
　複数枚の原稿の画像を読み取る原稿読取手段と、
　この原稿読取手段によって読み取られた画像を記憶する画像記憶手段と、
　この画像記憶手段に記憶されている画像を記録紙に形成する画像形成手段と、
　外部操作による各種操作指示の入力を受け付け、前記原稿読取手段によって読み取られて前記画像記憶手段に記憶されている各原稿束毎の画像を、前記画像形成手段により記録紙上に画像形成させて排出させる設定の入力を受け付ける操作手段と、
　前記操作手段により前記設定の入力が受け付けられた後に前記原稿読取手段によって原稿の読み取りが複数回に分けて行われた場合、当該原稿読取手段による各回の読み取り画像を前記画像記憶手段に記憶させておき、当該画像記憶手段から読み出した各回の読み取り画像を連続させて、前記操作手段で受け付けられた指示が示す部数だけ前記画像形成手段に画像を形成させる制御手段と
を備えたことを特徴とする画像形成装置。」 
  　
２．　請求項１の補正事項
　本件補正の補正後の請求項１は、 
　補正前の請求項１記載の「外部操作による各種操作指示の入力を受け付ける操作手段」を、
　補正後の請求項１記載の「外部操作による各種操作指示の入力を受け付け、前記原稿読取手段によって読み取られて前記画像記憶手段に記憶されている各原稿束毎の画像を、前記画像形成手段により記録紙上に画像形成させて排出させる設定の入力を受け付ける操作手段」
に限定し、 そして、
　補正前の請求項１記載の「前記原稿読取手段によって原稿の読み取りが複数回に分けて行われた場合、前記原稿読取手段による各回の読み取り画像を前記画像記憶手段に記憶させておき、前記操作手段で受け付けられた指示が示す部数だけ、当該画像記憶手段から読み出した各回の読み取り画像を連続して前記画像形成手段に画像を形成させる制御手段」を、
　補正後の請求項１記載の「前記操作手段により前記設定の入力が受け付けられた後に前記原稿読取手段によって原稿の読み取りが複数回に分けて行われた場合、当該原稿読取手段による各回の読み取り画像を前記画像記憶手段に記憶させておき、当該画像記憶手段から読み出した各回の読み取り画像を連続させて、前記操作手段で受け付けられた指示が示す部数だけ前記画像形成手段に画像を形成させる制御手段」
に限定するものであるから、
　平成１８年法律第５５号改正附則第３条第１項によりなお従前の例によるとされる同法による改正前の特許法第１７条の２第４項第２号の、特許請求の範囲の減縮、を目的とするものに該当する。 
　
３．　補正後の請求項１に記載された発明（本願補正発明）
　そこで、本件補正後の請求項１に記載された次の発明（以下、「本願補正発明」という。）が特許出願の際独立して特許を受けることができるものであるかについて以下に検討する。
（本願補正発明） 
「　複数枚の原稿の画像を読み取る原稿読取手段と、
　この原稿読取手段によって読み取られた画像を記憶する画像記憶手段と、
　この画像記憶手段に記憶されている画像を記録紙に形成する画像形成手段と、
　外部操作による各種操作指示の入力を受け付け、前記原稿読取手段によって読み取られて前記画像記憶手段に記憶されている各原稿束毎の画像を、前記画像形成手段により記録紙上に画像形成させて排出させる設定の入力を受け付ける操作手段と、
　前記操作手段により前記設定の入力が受け付けられた後に前記原稿読取手段によって原稿の読み取りが複数回に分けて行われた場合、当該原稿読取手段による各回の読み取り画像を前記画像記憶手段に記憶させておき、当該画像記憶手段から読み出した各回の読み取り画像を連続させて、前記操作手段で受け付けられた指示が示す部数だけ前記画像形成手段に画像を形成させる制御手段と
を備えたことを特徴とする画像形成装置。」 
　
　
４．　引用刊行物 
（１）　刊行物１ 
　原審において、最初の拒絶の理由に引用された、本願出願前に頒布された特開平８−８４２１６号公報（最初の拒絶理由通知の引用文献１。以下「刊行物１」という。）には、図面とともに以下の事項が記載されている。
　
（１ａ）　「【請求項１】  原稿画像をデジタル画像データとして１頁分ずつ入力する画像入力手段と、前記画像入力手段により入力された画像情報を複数頁分記憶する画像記憶手段と、記録紙を供給する給紙手段と、複写部数を設定する部数設定手段と、前記画像記憶手段から画像情報を１頁分ずつ順次読み出して前記給紙手段から給紙される記録紙上に順次全頁の画像を形成する動作を前記部数設定手段によって設定された部数と同じ回数繰り返す画像形成手段とを備えたデジタル複写機において、画像形成動作実行中に新たな原稿束を追加予約する予約手段を設けたことを特徴とするデジタル複写機。」
（１ｂ）　「【０００３】そこで、近年のデジタル複写機の普及に伴い、電子ソートと呼ばれる機能が提案されている。これは、例えば特開昭５６−６４３５４号公報に見られるように、複数頁分の原稿を順次読み取ってその各頁の画像データを一旦全てメモリに蓄積しておき、全頁の蓄積が完了すると各頁の画像データを順次メモリから読み出して１枚ずつプリントし、これを設定コピー枚数（部数）分繰り返すことにより、一部ずつに区分けはされないものの、頁順にソートされたコピーを、排紙トレイが一つしかなくても得ることが出来るものである。」
（１ｃ）　「【０００４】
【発明が解決しようとする課題】ところで、電子ソートモードでコピーを行っている最中はスキャナは使用されていない。しかしながら、画像形成手段は使用されているため次のユーザは複写機を使用することはできず、スキャナは遊休時間をもつことになり無駄であると共に、ユーザは現在の原稿束のコピーが終了するまで待たなければならなかった。」
（１ｄ）　「【００１０】
【作用】上記第１の発明によれば、電子ソート実行中に次の原稿束についてコピーの予約を行うことができるので、ユーザの待ち時間を短縮できる。」
（１ｅ）　「【００１５】
【実施例】以下、この発明の実施例を添付図面に基づいて具体的に説明する。図１は本発明によるデジタル画像形成装置であるデジタル複写機のブロック構成図で、図中各ユニットをつなぐ実線は制御信号の流れを、破線は画像データの流れを示している。スキャナ１は画像入力手段であり、蛍光灯光源、光電変換素子であるＣＣＤ、及びメカ機構で構成され、１枚ずつセットされる原稿の画像を光学的に読み取って電気信号（デジタル信号による画像データ）に変換し、その画像データをメモリ２へ送る。メモリ２は画像記憶手段であり、ＤＲＡＭ等の半導体記憶素子から成り、スキャナ１から送られてきた画像データを記憶し、複写の際にプロッタ５へ画像データを送る。操作部３は、ユーザが電子ソートモードやその時の必要部数（同一頁のコピー枚数）等の設定を行うためのスイッチ部と、設定部数やモード、ジャムの発生等を表示する表示部とから成る。制御部４については後述する。プロッタ５は、制御部４からの指示を受けて、メモリ２に蓄積された画像データを周知の電子写真方式によって記録紙上に印刷する。電子ソートモードが設定されたときには、制御部４及びこのプロッタが電子ソート画像形成手段として動作する。プロッタ５には３段の給紙トレイ６及び１段の排紙トレイ７を備えている。」
（１ｆ）　「【００１６】次に、図２を参照して制御部４について詳細に説明する。ＣＰＵ４３は、ＲＯＭ４１に格納されたプログラムに従って、装置全体の制御を行う。ＲＡＭ４２はＣＰＵ４３が各種処理を行う際のワークメモリとして使われる。Ｉ／Ｏポート４４、４５はＣＰＵ４３と外部のユニットをつなぐためのインタフェースである。メモリ２、操作部３、スキャナ１、プロッタ５は、Ｉ／Ｏポート４４、４５を介してＣＰＵ４３とデータや制御信号のやり取りを行う。」
（１ｇ）　「【００１７】次に、図３を参照して操作部３について詳述する。操作部３には、複写機の設定状態を表示するフルドットマトリクス式のＬＣＤ表示部３１、カーソルキー３２、スキャナの読取り開始／終了及びコピー開始を指示するスタートキー３３、用紙サイズ指定キー３４、電子ソート取消キー３５、電子ソートの予約を行うための予約電子ソートキー３６、電子ソートを指示する電子ソートキー３７、設定をクリアまたはコピーを中断するクリア／ストップキー３８、複写部数を指示するテンキー３９が配置されている。」
（１ｈ）　「【００１８】電子ソートを行う場合、電子ソートキー３７を１回押下することにより電子ソートモードに入る。この時、ＬＣＤ表示部３１には「電子ソートモード」の文字、最初の原稿束を表す番号、複写部数、用紙サイズのデフォルト値を表示する。この状態でカーソルキー３２が押されると、その矢印の方向へＬＣＤ表示部３１上でカーソルが移動する。カーソルが部数の位置にある状態でテンキー３９が押されると、その設定部数をＲＡＭ４２に格納する。カーソルが用紙サイズの位置にある状態で用紙サイズ指定キー３４が押されると、給紙トレイ７にセットされている用紙サイズをキーが押される毎に順に表示し、設定された用紙サイズをＲＡＭ４２に格納する。次にスタートキー３３が押されると原稿読み取りモードに入り、ＬＣＤ表示部３１上の「状態」欄に「読み取り中」の文字を表示し原稿束を読み取る。読み取りを行っている途中で再度スタートキー３３が押されると、それまでに読み込んだ原稿を１束と判断して電子ソートを開始し、「状態」欄には「印刷中」の文字を表示する。」
（１ｉ）　「【００１９】本発明では、複数の原稿束をメモリに記憶させておくことにより、電子ソート中の予約が行える。この時のＲＡＭ４２及びメモリ２の記憶状態を図４及び図５に示す。図４はＲＡＭ４２内で原稿束の設定内容を記憶するヘッダ部分であり、ソートナンバー、印刷部数、用紙サイズ、原稿各頁のスタートアドレス及びエンドアドレス、原稿束の終わりを表すＥＮＤコードを格納している。ここでソートナンバーとは、電子ソートを行うべく予約された各原稿束毎に付けられる一連番号であり、この番号順に処理が行われる。図５はメモリ２における記憶状態であり、各原稿を読み取った画像データが順に格納されている。」
（１ｊ）　「【００２０】次に、このデジタル複写機の動作を図８のフローチャートを参照して説明する。図８は本発明による電子ソート予約のサブルーチンであり、図示しないメインルーチンから呼び出されてＣＰＵ７によって実行される。まずステップＳ１にて電子ソート中（スキャン終了後、画像形成動作中）であるか判定し、電子ソート中でなければ予約は出来ないのでこのルーチンを終了する。電子ソート中であれば、次に予約電子ソートキー３６が押されたか判定する（ステップＳ２）。予約電子ソートキー３６が押されれば電子ソート予約モードに入り、ＬＣＤ表示部３１に予約された原稿束を表す表示と部数、用紙サイズのデフォルト値を表示する（図３参照）。この時点でＲＡＭ４２にヘッダを追加し一連のソートナンバー、用紙サイズ、印刷部数のデフォルト値が格納される。また、この状態でカーソルキー３２が有効となり、カーソルが印刷部数表示の上にある状態でテンキー３９が押されれば、印刷部数をテンキーの入力に応じて変更し、ＲＡＭ４２に格納すると共にＬＣＤ表示部３１に表示する（ステップＳ３〜Ｓ５）。カーソルが用紙サイズ表示の上にある状態で用紙サイズキー３４が押されれば、給紙トレイ７にセットされている用紙のサイズを用紙サイズキー３４が押される毎に順に表示すると共にＲＡＭ４２に格納する（ステップＳ６〜Ｓ８）。
【００２１】スタートキー３３が押されると原稿読み取りを開始する（ステップＳ９〜Ｓ１０）と同時に、図４に示すＲＡＭ４２のヘッダ部に１枚目の原稿のメモリ２におけるスタートアドレスを格納する。読み取られた原稿画像は図５に示すように、メモリ２にデジタルデータとして格納され、読み取りが終了するとＲＡＭ４２に１枚目のエンドアドレス及び２枚目のスタートアドレスを格納する。この繰り返しにより原稿を読み込み、原稿読み取り中に再度スタートキー３３が押されると、そこまでを一つの原稿束と判断して原稿の読み取りを終え、電子ソート予約を完了する（ステップＳ１１〜Ｓ１２）。この時ＬＣＤ表示部３１の「状態」欄には「予約」の文字を表示すし、ＲＡＭ４２のヘッダ部にはＥＮＤコードを格納する。以上の操作を繰り返し行うことにより、複数の原稿束を予約することが出来る。ソートナンバー１の原稿束について印刷が終了するとソートナンバー１のヘッダを消去するとともに２以降のソートナンバーから１マイナスし、新たにソートナンバー１となった原稿束について印刷を開始する。
【００２２】このように、電子ソート中に次の原稿について電子ソートの予約を行え先に原稿画像を読み取ってメモリに格納しておくことができるので、スキャナの有効利用が可能になる。」
　
　これら記載によれば、刊行物１には次の発明（以下、「刊行物１発明」という。）が記載されているものと認められる。 
　
（刊行物１発明） 
「　１枚ずつセットされる原稿の画像を光学的に読み取って電気信号（デジタル信号による画像データ）に変換する、スキャナ１と、
  スキャナ１から送られてきた画像データを記憶する、メモリ２と、
  複写機の設定状態を表示するＬＣＤ表示部３１、カーソルキー３２、スキャナの読取り開始／終了及びコピー開始を指示するスタートキー３３、用紙サイズ指定キー３４、電子ソート取消キー３５、電子ソートの予約を行うための予約電子ソートキー３６、電子ソートを指示する電子ソートキー３７、設定をクリアまたはコピーを中断するクリア／ストップキー３８、複写部数を指示するテンキー３９が配置されている、操作部３と、
　ＲＯＭ４１に格納されたプログラムに従って、装置全体の制御を行うＣＰＵ４３、及び、
メモリ２、操作部３、スキャナ１、プロッタ５をつなぐためのインタフェースＩ／Ｏポート４４、４５、とからなる、制御部４と、
　制御部４からの指示を受けて、メモリ２に蓄積された画像データを１頁分ずつ順次読み出して、操作部３により設定された記録紙上に、操作部３により設定された部数、電子写真方式によって印刷する、プロッタ５であって、３段の給紙トレイ６及び１段の排紙トレイ７を備えているプロッタ５と、
を備えたデジタル複写機において、
　電子ソートモードにあるとき、一束目の原稿について、操作部３で、複写部数、用紙サイズが設定でき、設定された、複写部数、用紙サイズは、制御部４のＲＡＭ４２に格納され、次にスタートキー３３が押されると原稿読み取りモードに入り、読み取りを行っている途中で再度スタートキー３３が押されると、それまでに読み込んだ原稿を１束と判断して電子ソートを開始し、「状態」欄には「印刷中」の文字を表示し、
　電子ソート中であれば、予約電子ソートキー３６の押下げにより電子ソート予約モードに入り、
　二束目の原稿について、印刷部数、用紙サイズの設定ができ、設定された印刷部数、用紙サイズは、制御部４のＲＡＭ４２に格納され、スタートキー３３が押されると原稿読み取りを開始し、読み取りを行っている途中で再度スタートキー３３が押されると、それまでに読み込んだ原稿を１束と判断し、「状態」欄には「予約」の文字を表示し、
　三束目以降の原稿についても、以上の操作を繰り返すことにより、複数の原稿束を予約することができる、
デジタル複写機。」
  　
５．本願補正発明と刊行物１発明との対比
　ここで、本願補正発明と刊行物１発明とを対比する。 
　刊行物１発明の「１枚ずつセットされる原稿の画像を光学的に読み取って電気信号（デジタル信号による画像データ）に変換する、スキャナ１」は、本願補正発明の「複数枚の原稿の画像を読み取る原稿読取手段」に相当する。
　刊行物１発明の「スキャナ１から送られてきた画像データを記憶する、メモリ２」は、本願補正発明の「原稿読取手段によって読み取られた画像を記憶する画像記憶手段」に相当する。
　刊行物１発明において、カーソルキー３２、スタートキー３３、用紙サイズ指定キー３４、電子ソート取消キー３５、予約電子ソートキー３６、電子ソートキー３７、クリア／ストップキー３８、テンキー３９は各種操作指示の入力、及び、画像形成手段により記録紙上に画像を形成させて排出させる設定の入力を行うキーであるから、刊行物１発明の「複写機の設定状態を表示するＬＣＤ表示部３１、カーソルキー３２、スキャナの読取り開始／終了及びコピー開始を指示するスタートキー３３、用紙サイズ指定キー３４、電子ソート取消キー３５、電子ソートの予約を行うための予約電子ソートキー３６、電子ソートを指示する電子ソートキー３７、設定をクリアまたはコピーを中断するクリア／ストップキー３８、複写部数を指示するテンキー３９が配置されている、操作部３」は、本願補正発明の「外部操作による各種操作指示の入力を受け付け、前記原稿読取手段によって読み取られて前記画像記憶手段に記憶されている各原稿束毎の画像を、前記画像形成手段により記録紙上に画像形成させて排出させる設定の入力を受け付ける操作手段」に相当する。
　刊行物１発明の「制御部４からの指示を受けて、メモリ２に蓄積された画像データを周知の電子写真方式によって記録紙上に、設定された部数、印刷する、プロッタ５であって、３段の給紙トレイ６及び１段の排紙トレイ７を備えているプロッタ５」は、本願補正発明の「画像記憶手段に記憶されている画像を記録紙に形成する画像形成手段」に相当する。
　刊行物１発明における「デジタル複写機」は、本願補正発明における「画像形成装置」に相当する。
　
　そして、刊行物１発明は、
「電子ソートモードにあるとき、一束目の原稿について、操作部３で、複写部数、用紙サイズが設定でき、設定された、複写部数、用紙サイズは、制御部４のＲＡＭ４２に格納され、次にスタートキー３３が押されると原稿読み取りモードに入り、読み取りを行っている途中で再度スタートキー３３が押されると、それまでに読み込んだ原稿を１束と判断して電子ソートを開始し、「状態」欄には「印刷中」の文字を表示し、
　電子ソート中であれば、予約電子ソートキー３６の押下げにより電子ソート予約モードに入り、
　二束目の原稿について、印刷部数、用紙サイズの設定ができ、設定された印刷部数、用紙サイズは、制御部４のＲＡＭ４２に格納され、スタートキー３３が押されると原稿読み取りを開始し、読み取りを行っている途中で再度スタートキー３３が押されると、それまでに読み込んだ原稿を１束と判断し、「状態」欄には「予約」の文字を表示し、
　三束目以降の原稿についても、以上の操作を繰り返すことにより、複数の原稿束を予約することができる」ものであるから、
「複数の原稿束を予約する場合、操作部３で、印刷部数、用紙サイズの設定の設定後に、スキャナ１による原稿読み取りが複数回に分けて行われ、各回の読み取られた画像データはメモリ２に蓄積され、メモリ２に蓄積された画像データを１頁分ずつ順次読み出して、操作部３により設定された記録紙上に、操作部３により設定された部数、電子写真方式によって印刷する」ものであって、この印刷は制御部４の制御によって行われるものである。
　そうすると、刊行物１発明の「制御部４」は、本願補正発明の「前記操作手段により前記設定の入力が受け付けられた後に前記原稿読取手段によって原稿の読み取りが複数回に分けて行われた場合、当該原稿読取手段による各回の読み取り画像を前記画像記憶手段に記憶させておき、当該画像記憶手段から読み出した各回の読み取り画像を連続させて、前記操作手段で受け付けられた指示が示す部数だけ前記画像形成手段に画像を形成させる制御手段」に相当するといえる。
　
　したがって、両者の一致点、相違点は以下のとおりと認められる。 
　
［一致点］ 
「　複数枚の原稿の画像を読み取る原稿読取手段と、
　この原稿読取手段によって読み取られた画像を記憶する画像記憶手段と、
　この画像記憶手段に記憶されている画像を記録紙に形成する画像形成手段と、
　外部操作による各種操作指示の入力を受け付け、前記原稿読取手段によって読み取られて前記画像記憶手段に記憶されている各原稿束毎の画像を、前記画像形成手段により記録紙上に画像形成させて排出させる設定の入力を受け付ける操作手段と、
　前記操作手段により前記設定の入力が受け付けられた後に前記原稿読取手段によって原稿の読み取りが複数回に分けて行われた場合、当該原稿読取手段による各回の読み取り画像を前記画像記憶手段に記憶させておき、当該画像記憶手段から読み出した各回の読み取り画像を連続させて、前記操作手段で受け付けられた指示が示す部数だけ前記画像形成手段に画像を形成させる制御手段と
を備えた、画像形成装置。」
　
［相違点］ 
　刊行物１発明では、複数の原稿束を予約することは、電子ソート予約モードにより行われ、要するに「画像形成動作実行中」に新たな原稿束を追加予約することで行われる、のに対し、
　本願補正発明では、複数の原稿束を予約することが、「画像形成動作実行中」に行われることを要件としていない点。
　
６．判断
（相違点について）
　上記相違点について検討する。 
　刊行物１には、従来技術の問題点として、従来の、電子ソートモードでコピーを行っている最中はスキャナは使用されてないが、画像形成手段は使用されているため次のユーザは複写機を使用することはできず、スキャナは遊休時間をもつことになり無駄であると共に、ユーザは現在の原稿束のコピーが終了するまで待たなければならなかった、ことを挙げている。
　刊行物１発明は、電子ソート実行中に次の原稿束についてコピーの予約を行うことができるので、ユーザの待ち時間を短縮できるという効果を奏するものである。
　刊行物１発明においては、「画像形成動作実行中」に予約を行うことができ、その場合には、「画像形成動作実行」前に予約を行うことに比較して、ユーザの待ち時間を短縮できることは明らかであり、そこまでユーザの待ち時間を短縮する必要の無いときには、「画像形成動作実行」前に予約を行えば良いのであって、しかも、その場合、電子ソート実行中に次の原稿束についてコピーの予約を行うことができるから、ユーザの待ち時間を短縮できるという効果を奏することも自明の事項である。
　そうすると、刊行物１発明において、複数の原稿束を予約することが、「画像形成動作実行中」に行われることを要件として採用しないようにすることは、当業者が格別の創意を要することではない。
　
（本願補正発明が奏する効果について）
　そして、全体として、本願補正発明が奏する効果は、刊行物１に記載された事項から当業者が予測し得る程度のことであって、格別のものではない。　
（まとめ）
　以上のように、本願補正発明は、刊行物１に記載された発明に基づいて当業者が容易に発明をすることができたものであり、特許法第２９条第２項の規定により、特許出願の際独立して特許を受けることができない。
　
７．補正却下の決定についてのむすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
［３］本願発明について 
１．本願の請求項１に係る発明　 
　平成２０年４月２４日付けの手続補正は上記のとおり却下されたので、本願の請求項１〜２に係る発明は、平成１９年１０月１９日付けの手続補正書により補正された特許請求の範囲の請求項１〜２に記載されたとおりのものであるところ、請求項１に係る発明（以下、「本願発明１」という。）は、次のとおりである。 
　
「　　　【請求項１】
　複数枚の原稿の画像を読み取る原稿読取手段と、
　この原稿読取手段によって読み取られた画像を記憶する画像記憶手段と、
　この画像記憶手段に記憶されている画像を記録紙に形成する画像形成手段と、
　外部操作による各種操作指示の入力を受け付ける操作手段と、
　前記原稿読取手段によって原稿の読み取りが複数回に分けて行われた場合、前記原稿読取手段による各回の読み取り画像を前記画像記憶手段に記憶させておき、前記操作手段で受け付けられた指示が示す部数だけ、当該画像記憶手段から読み出した各回の読み取り画像を連続して前記画像形成手段に画像を形成させる制御手段と
を備えたことを特徴とする画像形成装置。」 
　
２．引用刊行物の記載事項 
　原査定の拒絶の理由に引用された、本願出願前に頒布された特開平９−２５９２５６号公報（原査定（最後の拒絶理由通知）の引用文献１。以下「刊行物２」という。）の記載事項は、次のとおりである。 
　
（２ａ）　「【請求項１】  画像データに基づく画像の出力を制御する画像形成装置であって、
　転送されてくる画像データを記憶する記憶手段と、
　前記記憶手段で記憶する前記画像データに施すべき処理を指示する指示手段と、
　前記指示手段による指示される施すべき処理が保持の場合、前記画像データを前記記憶手段に保持する保持手段と、
　前記指示手段による指示される施すべき処理が出力の場合、前記画像データを前記記憶手段より出力し、前記記憶手段より当該画像データを消去する出力手段とを有し、
前記保持手段は、前記転送されてくる画像データを保持する際に、既に保持している画像データが前記記憶手段にある場合は、該転送されてくる画像データと該既に保持している画像データを１つの出力対象として統合して該記憶手段に保持することを特徴とする画像形成装置。」
（２ｂ）　「【０００２】
【従来の技術】従来のコンピュータ等の情報処理装置に接続され、複写機とプリンタとファクシミリの機能が複合される画像形成装置において、情報処理装置上で起動する複数のアプリケーションソフトウェアそれぞれで作成される各画像データをプリンタで出力する場合は、各アプリケーションソフトウェアで作成した画像データ毎に出力を行っていた。」
（２ｃ）　「【０００３】
【発明が解決しようとする課題】しかしながら、上記従来の画像形成装置においては、各アプリケーションソフトウェアで作成した画像データ単位で出力するため、あるアプリケーションソフトウェアで作成した画像データを出力した後に、別のアプリケーションソフトウェアで作成した画像データを出力する迄に時間が空いてしまう。そのため、他の装置（ファクシミリ、複写機）からの画像データの出力がその空いた時間に割り込んでしまい、プリンタからユーザが所望する出力順序で画像データが出力されないという問題点があった。
【０００４】また、例えば、特に、プリンタより出力される複数の原稿によって製本する場合、出力される複数の原稿がページ順に出力されなくなる可能性があるので、ユーザは、プリンタから出力される原稿のページを常に確認しなけらばならず、トータルスループットを低下するという問題点があった。本発明は上記の問題点に鑑みてなされたものであり、トータルスループットを向上するとともに、所望の出力順序で画像データを出力することができる画像形成装置及びその方法を提供することを目的としている。」
（２ｄ）　「【００１３】
【発明の実施の形態】以下、図面を参照して本発明の好適な実施の形態を詳細に説明する。図１は実施の形態１の画像形成装置の構成を示すブロック図である。図１において、リーダ部１は、原稿画像を読み取り、読み取られた原稿画像に応じた画像データをプリンタ部２及び画像入出力制御部３へ出力する。プリンタ部２は、リーダ部１及び画像入出力制御部３から得られる画像データに応じた画像を記録紙上に記録する。画像入出力制御部３はリーダ部１に接続されており、ファクシミリ部４、ファイル部５、コンピュータインタフェース部７、フォーマッタ部８、イメージメモリ部９、コア部１０等から構成される。」
（２ｅ）　「【００１５】ファイル部５には、光磁気ディスクドライブユニット６が接続されている。また、ファイル部５は、コア部１０から送られてきた画像データを圧縮し、その圧縮画像データを検索するためのコードとともに光磁気ディスクドライブユニット６にセットされた光磁気ディスクに記憶させる。更に、ファイル部５は、コア部１０を介して転送されたコードに基づいて、光磁気ディスクに記憶されている圧縮画像データを検索する。そして、検索された圧縮画像データを読み出して伸長し、伸長された画像データをコア部１０へ転送する。
【００１６】コンピュータインタフェース部７は、パーソナルコンピュータまたはワークステーション（ＰＣ／ＷＳ）１１とコア部１０の間のインタフェースである。フォーマッタ部８は、ＰＣ／ＷＳ１１から転送されてくる画像を表現するコードデータを、プリンタ部２で記録できる画像データに復号する。イメージメモリ部９は、ＰＣ／ＷＳ１１から転送されたコードデータを一時的に記憶するものである。コア部１０は、リーダ部１、ファクシミリ部４、ファイル部５、コンピュータインタフェース部７、フォーマッタ部８、イメージメモリ部９のそれぞれの間のデータの流れを制御するものである。また、コア部１０の詳細については後述する。」
（２ｆ）　「【００１７】次にリーダ部１とプリンタ部２の詳細な構成について、図２を用いて説明する。図２は実施の形態１のリーダ部１及びプリンタ部２の詳細な構成を示す断面図である。図２おいて、リーダ部１の原稿給送装置１０１は、原稿を最終頁から順に１枚ずつプラテンガラス１０２上へ給送し、原稿の読み取り動作終了後、プラテンガラス１０２上の原稿を排出するものである。原稿がプラテンガラス１０２上に搬送されると、ランプ１０３が点燈される。そして、スキャナユニット１０４の移動が開始され、所定方向に原稿を露光走査する。この時、露光走査されて得られる原稿からの反射光は、ミラー１０５、１０６、１０７、及びレンズ１０８によってＣＣＤイメージセンサ（以下ＣＣＤという）１０９へ導かれる。
【００１８】このように、露光走査されて得られる原稿の反射光が形成する画像は、ＣＣＤ１０９によって読み取られる。そして、ＣＣＤ１０９から出力される画像データは、所定の処理が施された後、プリンタ部２及び画像入出力制御部３のコア部１０へ転送される。尚、３００は、実施の形態１で実行される処理の設定や、記録の実行等の指示を行う操作部である。」
（２ｇ）　「【００２０】現像剤が転写された記録紙は、定着部２０７に搬送され、定着部２０７の熱と圧力により現像剤は記録紙に定着される。定着部２０７を通過した記録紙は、排出ローラ２０８によって排出される。ソータ２２０は、排出された記録紙をそれぞれのビンに収納して記録紙の仕分けを行う。尚、ソータ２２０は仕分けが設定されていない場合は最上ビンに記録紙を収納する。」
（２ｈ）　「【００２５】次にコア部１０の詳細な構成について、図４を用いて説明する。図４はコア部１０の詳細な構成を示すブロック図である。図４において、リーダ部１から転送されてくる画像データは、データ処理部１２１へ転送され、また、リーダ部１から画像データとともに転送されてくる制御コマンドはＣＰＵ１２３へ転送される。データ処理部１２１は、画像の回転処理や変倍処理等の画像処理を行う。そして、リーダ部１からデータ処理部１２１へ転送されてきた画像データは、リーダ部１から転送された制御コマンドに応じて、インタフェース１２０を介してファクシミリ部４、ファイル部５、コンピュータインタフェース部７のいずれかへ転送される。
【００２６】また、コンピュータインタフェース部７を介して入力されたＰＣ／ＷＳ１１からの画像を表現するコードデータは、データ処理部１２１に転送された後、フォーマッタ部８へ転送されて画像データに展開される。そして、この展開された画像データは、再びデータ処理部１２１に転送された後、ファクシミリ部４、プリンタ部２のいずれかに転送される。ファクシミリ部４からの画像データは、データ処理部１２１へ転送された後、プリンタ部２、ファイル部５、コンピュータインタフェース部７のいずれかへ転送される。また、ファイル部５からの画像データは、データ処理部１２１へ転送された後、プリンタ部２、ファクシミリ部４、コンピュータインタフェース部７のいずれかへ転送される。」
（２ｉ）　「【００２７】ＣＰＵ１２３はメモリ１２４に記憶されている各種画像処理を制御するための制御プログラム、及びリーダ部１から転送された制御コマンドに従って上述の制御を行う。また、メモリ１２４はＣＰＵ１２３が実行する制御の作業領域としても使われる。このように、コア部１０において、リーダ１で原稿画像の読み取り、プリンタ部２で画像のプリント、電話回線より画像の送受信、画像の保存、ＰＣ／ＷＳ１１から画像を表現するコードデータの入出力等の機能を複合させた処理を行うことが可能である。」
（２ｊ）　「【００２８】次に、操作部３００の主要な構成について、図５を用いて説明する。尚、操作部３００では、特に、イメージメモリ部９に保持される画像データの出力順序や出力の指示を行うためのキーや表示部が構成されている。また、リーダ部１とプリンタ部２で実現される複写機の機能やそれ以外に本装置で実現される機能の実行の操作も操作部３００にて行うが、これらの機能については、従来の装置と同様の操作を行うことで実現できるので、その詳細は省略する。」
（２ｋ）　「【００３０】図６に示されるメニューは、イメージメモリ部９に保存される画像データの出力／削除を指示するためのメニューである。このメニューには、イメージメモリ部９に保存される画像データの出力／削除を指示するキーで構成されている。ＯＫキー３０４を押下すると、矢印が指示しているキーの内容の処理が実行される。また、選択キー３０３を押下すると、出力／削除キーのいずれかを選択する。
【００３１】一方、保持データ出力順キー３０５を押下すると、表示部３０２には図７に示すようなメニューが表示される。図７に示されるメニューは、イメージメモリ部９に保存される画像データの出力順を指示するためのメニューである。このメニューには、イメージメモリ部９に保存される画像データの出力順を指示するキーで構成されている。出力順を変更したい所望の保持データを選択し、選択された保持データに対し選択キー３０３を押下すると、その保持データに対応する出力順を変更することができる。そして、出力順が決定した後に、ＯＫキー３０４を押下すると、表示部３０２に表示されれている出力順に従って対応する保持データが出力される。」
（２ｍ）　「【００３２】一方、保持データ出力順キー３０５を押下すると、表示部３０２には図７に示すようなメニューが表示される。次に、実施の形態１で実行される処理について、図５〜７と図８のフローチャートを用いて説明する。図８は実施の形態１で実行される処理フローを示すフローチャートである。
【００３３】尚、実施の形態１において、イメージメモリ部９には、画像データｄ１とそれに対応する出力／保持命令ｄ２が格納されるものとする。出力／保持命令ｄ２は、その命令に対応する画像データの出力／保持のいずれかを指示する命令であり、データ処理部１２１でその内容が解析される。また、出力／保持命令ｄ２は、ＰＣ／ＷＳ１１上で、出力／保持命令ｄ２を設定する専用のアプリケーションを動作することで設定される。
【００３４】以下、フローチャートの詳細な説明を行う。まず、ステップＳ１で、外部に設けられたＰＣ／ＷＳ１１からコンピュータインタフェース部７に送られた画像データｄ１及び出力／保持命令ｄ２は、イメージメモリ部９に転送される。ステップＳ２で、イメージメモリ部９に転送された画像データｄ１を保持するとともに、出力／保持命令ｄ２の内容を判定する。出力／保持命令ｄ２の内容が「出力」を指示している場合、ステップＳ９に進む。一方、出力／保持命令ｄ２の内容が「保持」を指示している場合、ステップＳ３に進む。
【００３５】ステップＳ３で、イメージメモリ部９にステップＳ２で保持する画像データｄ１以外に、既に保持されている画像データがあるか否かを判定する。既に保持されている画像データがある場合（ステップＳ３でＹＥＳ）、ステップＳ４に進む。一方、既に保持されている画像データがない場合（ステップＳ３でＮＯ）、ステップＳ５に進む。ステップＳ５で、ステップＳ２で保持する画像データｄ１をイメージメモリ部９に新規保持する。
【００３６】ステップＳ４で、ステップＳ２で保持する画像データｄ１を、既に保持されている画像データと連結して１つの画像データにする。ステップＳ６で、図５に示される操作部３００の保持データキー３０１が押下されたか否かを判定する。保持データキー３０１が押下された場合（ステップＳ６でＹＥＳ）、ステップＳ７に進む。一方、保持データキー３０１が押下されない場合（ステップＳ６でＮＯ）、ステップＳ１に戻り、保持データキー３０１が押下されるまでステップＳ１〜ステップＳ６の処理を繰り返す。
【００３７】ステップＳ７で、保持データキー３０１が押下されると図６に示すメニューが表示され、出力／削除のいずれかを選択され確定されるまで待機する。出力が選択された場合、ステップＳ９に進む。一方、削除が選択された場合、ステップＳ８に進む。ステップＳ８で、イメージメモリ部９に保持されている画像データを削除する。
【００３８】ステップＳ９で、コア部１０を介して、イメージメモリ部９に保持された画像データを出力順に従って出力する。以上説明したように、実施の形態１によれば、複数のアプリケーションで作成された画像データを、所望の出力順でイメージメモリ部９に保持しておき、必要な画像データが揃った時点で出力制御することができる。その結果、出力途中に他の出力が混在することがないので、所望の出力順序で出力された出力結果を得ることができる。
【００３９】また、製本に必要な画像データをイメージメモリ部９内に全て集めた後に、全ページ連続して出力できるようになることで、ページ間に製本に必要としないページが割り込んだりすることが無くなる。また、さらにステイプル止め可能な仕分け装置と共に使用することにより、必要部数分出力した後、ステイプル止めすることも可能になる。」
（２ｎ）　「【００５１】また、新たに転送されてきた画像データを保持する場合に、既にイメージメモリ部９に保持されている画像データがある場合は、その画像データを削除した後に、新たに転送されてきた画像データを保持することで、常に最新の画像データをイメージメモリ部９に保持することができる。尚、実施の形態１、実施の形態２では、イメージメモリ部９に転送されてくる画像データは、ＰＣ／ＷＳ１１から転送されてくる画像データであったが、例えば、ファクシミリ部４、あるいはリーダ部１等の他の画像データ生成手段から転送されてくる画像データを格納して、本発明で説明される処理を実行する構成にすることも容易に可能である。」
（２ｐ）　「【００５２】尚、本発明は、複数の機器（例えばホストコンピュータ、インタフェース機器、リーダ、プリンタ等）から構成されるシステムに適用しても、一つの機器からなる装置（例えば、複写機、ファクシミリ装置等）に適用してもよい。また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。」
（２ｑ）図８として、
「
」
　
　これら記載によれば、刊行物２（特に、実施の形態１）には次の発明（以下、「刊行物２発明」という。）が記載されているものと認められる。 
　
（刊行物２発明） 
「　原稿給送装置１０１を備え、原稿画像を読み取り、読み取られた原稿画像に応じた画像データをプリンタ部２及び画像入出力制御部３へ出力する、リーダ部１と、
　リーダ部１から転送された画像データを記憶する、画像入出力制御部３の中の、ファイル部５と、
  ＰＣ／ＷＳ１１から送られた画像データｄ１を記憶する、画像入出力制御部３の中の、イメージメモリ部９と、
　リーダ部１及び画像入出力制御部３から得られる画像データに応じた画像を記録紙上に記録する、プリンタ部２であって、排出された記録紙をそれぞれのビンに収納して記録紙の仕分けを行うソータ２２０を備える、プリンタ部２と、
　イメージメモリ部９に保持される画像データの出力順序や出力の指示を行うためのキーや表示部が構成されている、操作部３００であって、リーダ部１とプリンタ部２で実現される複写機の機能やそれ以外に本装置で実現される機能の実行の操作も行う、操作部３００と、
　リーダ部１、ファクシミリ部４、ファイル部５、コンピュータインタフェース部７、フォーマッタ部８、イメージメモリ部９のそれぞれの間のデータの流れを制御する、コア部１０であって、所定の手順で制御することにより、複数回にわたりＰＣ／ＷＳ１１から送られた画像データｄ１を、所望の出力順でイメージメモリ部９に保持しておき、必要な画像データが揃った時点で出力制御することができる、画像入出力制御部３のコア部１０と、
からなる、画像形成装置。」
　
　
３．本願発明１と刊行物２発明との対比
　ここで、本願発明１と刊行物２発明とを対比する。 
　
　まず、刊行物２発明の「原稿給送装置１０１を備え、原稿画像を読み取り、読み取られた原稿画像に応じた画像データをプリンタ部２及び画像入出力制御部３へ出力する、リーダ部１」は、本願発明１の「複数枚の原稿の画像を読み取る原稿読取手段」に相当する。
　次に、刊行物２発明の「リーダ部１から転送された画像データを記憶する、画像入出力制御部３の中の、ファイル部５」は、本願発明１の「この原稿読取手段によって読み取られた画像を記憶する画像記憶手段」に相当し、刊行物２発明の「ＰＣ／ＷＳ１１から送られた画像データｄ１を記憶する、画像入出力制御部３の中の、イメージメモリ部９」は、「画像を記憶する画像記憶手段」の機能を有しているものの、「ＰＣ／ＷＳ１１から送られた画像データ」を記憶するものであって、「リーダ部１」で読み取られた画像データを記憶するものではない。
　また、刊行物２発明の「リーダ部１及び画像入出力制御部３から得られる画像データに応じた画像を記録紙上に記録する、プリンタ部２」は、「リーダ部１」で読み取られた画像データについては、直接「プリンタ部２」に送られるものであり、「画像入出力制御部３」から得られる画像データについては、「画像を記憶する画像記憶手段」の機能を有する「イメージメモリ部９」から「プリンタ部２」に送られるのであるから、本願発明１の「画像記憶手段に記憶されている画像を記録紙に形成する画像形成手段」に相当する。
　してみると、刊行物２発明の
「リーダ部１から転送された画像データを記憶する、画像入出力制御部３の中の、ファイル部５と、ＰＣ／ＷＳ１１から送られた画像データｄ１を記憶する、画像入出力制御部３の中の、イメージメモリ部９と、リーダ部１及び画像入出力制御部３から得られる画像データに応じた画像を記録紙上に記録する、プリンタ部２であって、排出された記録紙をそれぞれのビンに収納して記録紙の仕分けを行うソータ２２０を備える、プリンタ部２と」の構成と、
本願発明１の
「この原稿読取手段によって読み取られた画像を記憶する画像記憶手段と、この画像記憶手段に記憶されている画像を記録紙に形成する画像形成手段と」の構成とは、
「入力画像データを記憶する画像記憶手段と、この画像記憶手段に記憶されている画像を記録紙に形成する画像形成手段と」で共通する。
　
　また、刊行物２発明の「イメージメモリ部９に保持される画像データの出力順序や出力の指示を行うためのキーや表示部が構成されている、操作部３００であって、リーダ部１とプリンタ部２で実現される複写機の機能やそれ以外に本装置で実現される機能の実行の操作も行う、操作部３００」は、本願発明１の「外部操作による各種操作指示の入力を受け付ける操作手段」に相当する。
　
　そして、刊行物２発明は、本願発明１のように、前記原稿読取手段によって原稿の読み取りが複数回に分けて行われた場合について開示するものではないが、刊行物２発明は、「ＰＣ／ＷＳ１１から送られた画像データｄ１」が、複数回に分けて入力される場合について開示するものであるから、本願発明１と刊行物２発明とは、入力データが複数回、入力される場合について開示するものである点で、共通する。
　そうすると、刊行物２発明の「画像入出力制御部３のコア部１０」と、本願発明１の「制御手段」とは、「入力データが複数回入力される場合に、各回の入力データを画像記憶手段に記憶させておき、画像記憶手段から読み出した各回の読み取り画像を連続して前記画像形成手段に画像を形成させる制御手段」である点で、共通する。
　
　したがって、両者の一致点、相違点は以下のとおりと認められる。 
　
［一致点］ 
「　複数枚の原稿の画像を読み取る原稿読取手段と、
　入力画像データを記憶する画像記憶手段と、
　この画像記憶手段に記憶されている画像を記録紙に形成する画像形成手段と、
　外部操作による各種操作指示の入力を受け付ける操作手段と、
　画像データの入力が複数回に分けて行われた場合、各回の画像データを前記画像記憶手段に記憶させておき、当該画像記憶手段から読み出した各回の読み取り画像を連続して前記画像形成手段に画像を形成させる制御手段と
を備えた、画像形成装置。」 
　
［相違点１］ 
　入力画像データに関して、
　本願発明１においては、原稿読取手段によって読み取られた画像データであるのに対し、
　刊行物２発明においては、原稿読取手段によって読み取られた画像データに加えて、ＰＣ／ＷＳ１１から送られた画像データｄ１を含む点。
　
［相違点２］ 
　制御手段に関して、
　本願発明１においては、操作手段で受け付けられた指示が示す部数だけ、画像形成するものであるのに対し、
　刊行物２発明においては、１部だけ、画像形成するものである点。
　
４．判断
（相違点１について）
　刊行物２発明（実施の形態１）においては、イメージメモリ部９に送られてくる画像データは、ＰＣ／ＷＳ１１から送られた画像データであったが、刊行物２には、例えば、「リーダ部１から転送されてくる画像データ」を「イメージメモリ部９」に格納して、刊行物２発明（実施の形態１）の処理を実行する構成にすることも容易に可能であると記載されている（前記（２ｎ）参照）。
　そうすると、刊行物２発明の「ＰＣ／ＷＳ１１から送られた画像データｄ１」を含む構成に代えて、「リーダ部１から転送されてくる画像データ」（原稿読取手段によって読み取られた画像データ）のみを使用するように構成することは、当業者が格別の創意を要することではない。
　
（相違点２について）
　刊行物２には、「さらにステイプル止め可能な仕分け装置と共に使用することにより、必要部数分出力した後、ステイプル止めすることも可能になる。」と記載されている（前記（２ｍ）参照）。
　そうすると、刊行物２発明において、１部だけ画像形成するように制御するのに代えて、「操作手段で受け付けられた指示が示す部数だけ、画像形成する」ように制御することは、当業者が格別の創意を要することではない。
　
（本願発明１が奏する効果について）
　そして、全体として、本願発明１によってもたらされる効果は、刊行物２に記載された技術事項から当業者であれば予測し得る程度のことであって、格別のものではない。 
　
（まとめ）
　したがって、本願発明１は、刊行物２発明に基づいて当業者が容易に発明をすることができたものである。
　
５．　むすび 
　以上のとおり、本願の請求項１に係る発明は、特許法第２９条第２項の規定により特許を受けることができないものであるから、他の請求項について検討するまでもなく、本願は拒絶すべきものである。
　
　よって、結論のとおり審決する。